(57)【要約】【課題】風の抵抗を軽減してその健全性を高めるとともに、太陽光発電パネルの過度な温度上昇や鳥の糞害を抑制して発電効率を安定化し、さらに、保守点検作業を容易にする外灯ユニットを提供する。【解決手段】支柱２に着脱可能に装着される連結部材８と、この連結部材に装着された基体９と、この基体に装着された太陽光発電パネル１０と、太陽光発電パネルを覆って設けられるカバー１１と、基体内に装着され、太陽光発電パネルによって発電された電力を蓄える二次電池１２と、基体に設けられ、二次電池から供給される電力によって発光させられる発光体１３と、基体内に装着され、二次電池への充電、および、この二次電池から発光体への電力供給を制御する制御ユニット１４とを備え、カバーが、透光性材料によって略球殻状に形成されている。【選択図】図１
0003194886.tif 000002
【実用新案登録請求の範囲】
【請求項１】
地面に立設される支柱の先端部に装着される外灯ユニットであって、前記支柱に着脱可能に装着される連結部材と、この連結部材に装着された基体と、この基体に装着された太陽光発電パネルと、前記太陽光発電パネルを覆って設けられるカバーと、前記基体内に装着され、前記太陽光発電パネルによって発電された電力を蓄える二次電池と、前記基体に設けられ、前記二次電池から供給される電力によって発光させられる発光体と、前記基体内に装着され、前記二次電池への充電、および、この二次電池から前記発光体への電力供給を制御する制御ユニットとを備え、前記カバーが、透光性材料によって略球殻状に形成されていることを特徴とする外灯ユニット。
【請求項２】
前記発光体がＬＥＤであることを特徴とする請求項１に記載の外灯ユニット。
【請求項３】
前記基体が、下方が小径となる略円錐台形状となされていることを特徴とする請求項１または請求項２に記載の外灯ユニット。
【考案の詳細な説明】
【技術分野】
【０００１】
本考案は、屋外灯に設置される外灯に用いられる外灯ユニットに関するものである。
【背景技術】
【０００２】
一般に、敷地や街路の照明のために、外灯を設置することが行なわれている。
このような外灯においては、その発光のために電力を必要とすることから、外灯へ電力線を架設若しくは敷設しなければならず、また、停電時にはその機能が果たせないといった問題点がある。
【０００３】
このような問題点に対処すべく、従来では、たとえば、特許文献１に示される技術が提案されている。
【０００４】
この技術は、地面に立設された支柱の先端に、太陽エネルギーを電力に変換する平板状の太陽光発電パネルを取り付け、また、前記支柱に、前記太陽光発電パネルによって発電された電力を蓄える二次電池と、この二次電池からの電力によって点灯させられる発光体と、前記二次電池への充電、および、前記発光体への給電を制御する制御ユニットを取り付けた構成となっている。
【先行技術文献】
【特許文献】
【０００５】
【特許文献１】実用新案登録第３１０３３０１号公報
【考案の概要】
【考案が解決しようとする課題】
【０００６】
前述した従来の技術により、発光体の点灯に必要な電力を自給することにより、外灯への電力線の架設や敷設が不要になり、かつ、停電時においても照明が可能となったが、なお、つぎのような改善すべき問題点が残されている。
【０００７】
すなわち、前述した従来の技術では、平板状の前記太陽光発電パネルを、前記支柱の先端に露出させた状態で取り付けてあることから、台風時等において、強風を受けて脱落してしまうおそれがある。
【０００８】
また、前記太陽光発電パネルが外気に露出した状態で設置されていることから、太陽光が強い場合等にその表面温度が上昇し、発電効率が低下してしまうことが想定される。
【０００９】
かつ、前記太陽光発電パネル表面に、鳥の糞が付着してその受光面積が狭められることによって発電効率が低下してしまう不具合もある。
【００１０】
さらに、前記太陽光発電パネル、前記二次電池や前記発光体、および、前記制御ユニットを電気的に接続する電力線を、前記支柱内に配線する必要があるが、保守点検時等に、これらの構成部材を取り替える必要が生じた際に、電力線の結線作業が必要となり、その作業が煩雑化することが想定される。
【００１１】
本考案は、前述した従来の技術において残されている問題点を解決せんとしてなされたもので、風の抵抗を軽減してその健全性を高めるとともに、太陽光発電パネルの過度な温度上昇や鳥の糞害を抑制して発電効率を安定化し、さらに、保守点検作業を容易にする外灯ユニットを提供することを課題とする。
【課題を解決するための手段】
【００１２】
本考案の請求項１に記載の外灯ユニットは、前述した課題を解決するために、地面に立設される支柱の先端部に装着される外灯ユニットであって、前記支柱に着脱可能に装着される連結部材と、この連結部材に装着された基体と、この基体に装着された太陽光発電パネルと、前記太陽光発電パネルを覆って設けられるカバーと、前記基体内に装着され、前記太陽光発電パネルによって発電された電力を蓄える二次電池と、前記基体に設けられ、前記二次電池から供給される電力によって発光させられる発光体と、前記基体内に装着され、前記二次電池への充電、および、この二次電池から前記発光体への電力供給を制御する制御ユニットとを備え、前記カバーが、透光性材料によって略球殻状に形成されていることを特徴とする。
【００１３】
このような構成とすることにより、前記外灯ユニットは、前記太陽光発電パネル、前記二次電池、前記発光体、および、前記制御ユニットを、前記基体とカバーとで形成される空間部内に一体化し、これらを、前記基体が装着された前記連結部材を介して前記支柱に固定することによって外灯を構成することができる。
【００１４】
したがって、外灯を設置する場合、前記支柱を構築した後に、この支柱の先端に前記外灯ユニットを固定するだけで、電力線の結線等を行なうことなく外灯の設置を完了させることができ、その作業を大幅に簡素化することができる。
【００１５】
また、老朽化等により既存の外灯を取り替える必要が生じた場合、既存の支柱の先端に装着されている発光体を前記支柱から取り外し、ついで、前記発光体に結線されている電力線を取り外した後に、前記支柱に本考案に係る外灯ユニットを固定することによって、その取り替え作業を終えることができる。
ここで、前述したように取り外した電力線は、その通電を停止した状態で放置すればよい。
【００１６】
したがって、取り替え作業が極めて簡便であり、取り替えコストを大幅に軽減することができる。
【００１７】
一方、前記太陽光発電パネルを球殻状のカバーによって覆うことにより、風に対する抵抗を低減することができ、強風に対する強度を高めることができる。
【００１８】
しかも、球殻状の前記カバーにより、鳥の糞が前記太陽光発電パネルに付着することを防止することができるとともに、前記カバーによる遮熱効果により、前記太陽光発電パネルの過剰な温度上昇を抑制して、その発電効率の低下を抑制することができる。
【００１９】
そして、前記発光体に、ＬＥＤを用いることにより、消費電力を軽減して、発光時間を延ばすことができる。
【００２０】
また、前記基体を、下方が小径となる略円錐台形状することにより、外灯ユニットの風に対する抵抗をさらに軽減することができる。
【考案の効果】
【００２１】
このように、本考案に係わる外灯ユニットによれば、風の抵抗を軽減してその健全性を高めるとともに、太陽光発電パネルの過度な温度上昇や鳥の糞害を抑制して発電効率を安定化し、さらに、保守点検作業を容易にする外灯ユニットを提供することができる。
【図面の簡単な説明】
【００２２】
【図１】本考案の一実施形態が適用された外灯の正面図である。
【図２】本考案の一実施形態を示す分解図である。
【図３】本考案の一実施形態を示す平面図である。
【図４】本考案の変形例を示す正面図である。
【図５】本考案の変形例を示すもので、図２のＶ−Ｖ線断面図である。
【考案を実施するための形態】
【００２３】
以下、本考案の一実施形態を図１ないし図３を参照して説明する。
図１において符号１は、本実施形態が適用された外灯を示し、この外灯１は、地面Ｇに立設された支柱２と、この支柱２の先端に装着された本実施形態に係わる外灯ユニット３とによって構成されている。
【００２４】
前記支柱２の下部には、前記地面Ｇに埋設される基礎部Ｂを備えている。
この基礎部Ｂは、前記支柱２の外面に放射状に設けられた複数のアンカー４と、これらのアンカー４を取り囲んで配置されたスパイラル管５と、このスパイラル管５の外周で、その上端および下端に固着された補強リング６と、前記下端に配設された補強リング６に一体に取り付けられたアンカーリング７とを備えている。
【００２５】
そして、前記支柱２を、その下端部を前記スパイラル管５の下端部から若干浮かした状態で位置決めした状態で、前記スパイラル管５の内部にコンクリートＣを打設することにより、前記支柱２が基礎部Ｂに一体化されている。
【００２６】
前記外灯ユニット３は、前記支柱２の先端に着脱可能に装着される連結部材８と、この連結部材８に装着された基体９と、この基体９に装着された太陽光発電パネル１０と、前記太陽光発電パネル１０を覆って設けられるカバー１１と、前記基体９内に装着され、前記太陽光発電パネル１０によって発電された電力を蓄える二次電池１２と、前記基体９に設けられ、前記二次電池１２から供給される電力によって発光させられる発光体１３と、前記基体９内に装着され、前記二次電池１２への充電、および、この二次電池１２から前記発光体１３への電力供給を制御する制御ユニット１４とを備え、前記カバー１１が、透光性材料によって略球殻状に形成された構成となっている。
【００２７】
前記連結部材８は、その内面形状が前記支柱２の外面形状と相似形に形成されており、前記支柱２の先端部の外方に嵌合させられるようになっている。
【００２８】
前記連結部材８の周壁には、複数の固定ボルト１５が、放射状に、かつ、前記周壁を貫通して螺着されており、前記連結部材８を前記支柱２に嵌合した状態において、前記複数の連結ボルト１５を前記支柱２の外面に当接させることにより、前記連結部材８を前記支柱２に固定するようになっている。
【００２９】
また、前記固定ボルト１５を緩めることにより、前記連結部材８を前記支柱２から取り外すことができるようになっている。
【００３０】
前記基体９は、本実施形態においては、下方が小径となる略円錐台形状に形成されており、その下面には、前記発光体１３が露出状態で嵌め込まれる発光体取り付け孔９ａが形成されている。
【００３１】
本実施形態においては、前記発光体取り付け孔９ａは、前記基体９の周りに１８０°の間隔をおいて２カ所に形成されている。
【００３２】
そして、前記発光体１３は、好ましくはＬＥＤによって構成され、前記発光体取り付け孔９ａに、図示しないシール材を介して装着される。
【００３３】
前記太陽光発電パネル１０は、本実施形態においては、図２および図３に示すように、円盤状の基板１６の表面に固定されており、この基板１６の周縁部上面に、前記カバー１１の周縁部が気密状態で固定されている。
【００３４】
そして、前記太陽光発電パネル１０、前記二次電池１２、前記発光体１３、および、前記制御ユニット１４は、図２に示すように、電力線Ｄによって電気的に接続されている。
【００３５】
前記制御ユニット１４には、別途設けられる送信機からの制御信号を受けて、前述した充電機能や前記発光体１３への給電機能の設定を行なう機能が設定されており、たとえば、前記送信機からの制御信号により、前記発光体１３への給電時間、すなわち、点灯時間を設定するようになっている。
【００３６】
また、前記連結部材８は、図２に示すように、前記基体９に、複数の連結ボルト１７によって固着され、また、前記基板１６に、前記基板１６が、連結ボルト１８によって固着されるようになっている。
【００３７】
そして、それぞれの連結部は、図示しないシール材を介して気密に連結されている。
【００３８】
ついで、このように構成された本実施形態に係わる外灯ユニット３を備えた外灯１の設置手順について説明する。
【００３９】
まず、前記外灯ユニット３を工場等において組み上げておく。
また、同様に、工場等において前記支柱２の下部を、前記補強リング６およびアンカーリング７が装着された前記スパイラル管５内に挿入するとともに、前記支柱２の下端を、前記スパイラル管５の下端より若干浮かせた状態で保持する。
【００４０】
ついで、前記スパイラル管５の内部にコンクリートＣを打設して硬化させることにより、前記支柱２の下部に前記基礎部Ｂを一体に形成する。
【００４１】
このように、前記基礎部Ｂが一体化された支柱２を、前記組み上げられた外灯ユニット３とともに設置現場に搬入する。
【００４２】
そして、設置場所に、前記基礎部Ｂの最大外形寸法よりも若干大きな穴を掘削し、この穴に前記支柱２の前記基礎部Ｂを挿入した後に、前記支柱２の傾斜を調整する。
【００４３】
これより、前記穴と前記基礎部Ｂとの隙間を埋め戻すことにより、前記支柱２を地面Ｇに立設する。
【００４４】
ついで、前記外灯ユニット３をクレーン等によって吊り上げて、その下方の連結部材８を前記支柱２の先端に嵌合させるとともに、前記複数の固定ボルト１５によって前記連結部材８を前記支柱２に前記複数の固定ボルト１５によって固定する。
【００４５】
これによって、前記外灯ユニット３を前記支柱２に固定して、前記外灯１の設置を完了する。
【００４６】
このように設置された前記外灯１は、前記外灯ユニット３のカバー１１を投下する太陽光が前記太陽光発電パネル１０に照射させられることにより発電され、その電力が前記二次電池１２に蓄電される。
【００４７】
前記二次電池１２に蓄電された電力は、たとえば、前記制御ユニット１４に組み込まれたタイマーにより、あるいは、光センサーにより、前記外灯１周りが暗くなった時点で、前記発光体１３に供給されて、前記外灯１周りが照らされる。
【００４８】
そして、前記太陽光発電パネル１０の発電中において、この太陽光発電パネル１０が前記カバー１１によって覆われていることから、その遮熱効果により、前記太陽光発電パネル１１の過度の温度上昇が抑制される。
【００４９】
また、前記カバー１１によって鳥の糞が前記太陽光発電パネル１０に付着することが防止されることと相俟って、前記太陽光発電パネル１０の発電効率の低下が防止される。
【００５０】
そして、前記外灯１に強風が作用したとしても、前記外灯ユニット３の前記カバー１１が球殻状に形成されて、風に対する抵抗が軽減されていることにより、前記外灯１の風に対する健全性が確保される。
【００５１】
しかも、本実施形態においては、前記外灯ユニット３を構成する前記基体９が円錐台形状に形成されて、この基体９の風に対する抵抗も軽減されていることから、前述した風に対する健全性がより一層向上する。
【００５２】
一方、前記外灯ユニット３に不具合が生じ交換が必要となった場合には、不具合のある前記外灯ユニット３に代えて、正常な外灯ユニット３を前記支柱２に取り付けることによって容易に対応可能である。
【００５３】
また、既存の外灯に対しても、この既存の外灯の支柱に装着されている発光体を取り外し、この既存の支柱に、本実施形態に係わる外灯ユニット３を取り付けることによって対応できる。
【００５４】
ここで、既存の外灯の取り替え時に必要とされていた、電力線の交換作業や着脱作業は不要で、極めて簡便かつ迅速な交換作業を行なうことができる。
【００５５】
なお、前記実施形態において示した各構成部材の諸形状や寸法等は一例であって、設計要求等に基づき種々変更可能である。
【００５６】
たとえば、図４に示すように、前記基体９に、開閉可能な密閉カバー１９を設けておき、この密閉カバー１９を開放することにより、前記基体９内に設置されている前記二次電池１２や前記制御ユニット１４、若しくは、前記発光体１３の点検や交換等の作業を行なえるようにすることもできる。
【００５７】
また、前記連結部材８に設けられる前記固定ボルト１５を、図５に示すように、前記連結部材８の軸線と直交する面内に位置し、かつ、軸線周りに１２０°の間隔をおいた３カ所に設けられる連結ボルト１５ａと、かつ、これらの連結ボルト１５ａから、前記軸線方向に間隔をおき、さらに、これらの連結ボルト１５ａに対して、前記連結部材８の軸線周りに６０°ずれた位置に設けられる連結ボルト１５ｂとによって構成することもできる。
【符号の説明】
【００５８】
１  外灯
２  支柱
３  外灯ユニット
４  アンカー
５  スパイラル管
６  補強リング
７  アンカーリング
８  連結部材
９  基体
９ａ  発光体取り付け孔
１０  太陽光発電パネル
１１  カバー
１２  二次電池
１３  発光体
１４  制御ユニット
１５  固定ボルト
１５ａ  固定ボルト
１５ｂ  固定ボルト
１６  基板
１７  連結ボルト
１８  連結ボルト
１９  密閉カバー
Ｂ  基礎部
Ｃ  コンクリート
Ｄ  電力線
Ｇ  地面
【図１】
0003194886.tif 000003
【図２】
0003194886.tif 000004
【図３】
0003194886.tif 000005
【図４】
0003194886.tif 000006
【図５】
0003194886.tif 000007